(57)【特許請求の範囲】
【請求項１】
ディスクを載置しストック位置又はイジェクト位置とプレイ位置とを往復動する複数のキャリッジを有し、各キャリッジは少なくともストック位置ではディスクの回転軸方向に重ねるように並べられており、その中からプレイするよう選択された一つのディスクをストック位置から全部引き出さずストック位置にある他のディスクと一部で重なり、且つ非接触状態を保持してプレイ位置としてプレイすると共に、前記プレイ位置では、最下段のキャリッジよりも低い位置に設けられたターンテーブル及びピックアップが前記キャリッジの空所を下から通り抜けて当該キャリッジからディスクを持ち上げるディスクチェンジャにおいて、前記キャリッジは、前記ディスクを前記ストック位置に在るとき前記ターンテーブル側の部分が前記ターンテーブルより離れる方向に傾斜させると共に、載置するディスクの最下部と最上部がキャリッジの厚みの最下部と最上部の範囲に等しい状態となるように載置するものであり、前記プレイ中のディスクとその上段のディスクとを当該上段のディスクを載置するキャリッジの空所を通して直接対向させてこれらのディスクの間に前記プレイ中のディスクの回転姿勢がぶれても干渉を回避する間隔を確保し、前記ターンテーブルは前記キャリッジに設けられたディスク載置傾斜面角度と等しい角度で前記ディスクをプレイ回転させることを特徴とするディスクチェンジャ。
【請求項２】
前記キャリッジに小径ディスクの載置部を大径ディスクの載置部より下側に設けたことを特徴とする請求項１記載のディスクチェンジャ。
【請求項３】
前記ディスクは前記ターンテーブル上を通過せず、ディスクの回転中心がターンテーブルの回転中心まで移動可能であることを特徴とする請求項１又は２記載のディスクチェンジャ。
【発明の詳細な説明】
【０００１】
【発明の属する技術分野】
本発明は、ディスクチェンジャに関する。
【０００２】
【従来の技術】
ＣＤやＤＶＤ等のプレイヤとして、複数のディスクをストックしておき、その中から１枚のディスクを選択して再生（プレイ演奏）するものがある。かかるタイプのプレイヤは複数枚のディスクを同時にストックできるディスクチェンジャを有している。ディスクチェンジャはディスクを載せるキャリッジを複数有しており、ディスクを再生する場合には、再生したいディスクが載せられているキャリッジをストック位置からプレイ位置に搬送する。
【０００３】
ストック位置では、ディスクを載せたキャリッジを上下に複数枚並べて配置している。各キャリッジは水平に配置されており、そのまま真っ直ぐ水平に引き出されてプレイ位置に搬送される。ディスクはキャリッジに対して水平に載せられている。
【０００４】
プレイ位置ではターンテーブルがキャリッジに載っているディスクを下から支えながら持ち上げ、上方に配置されているクランパとの間に挟み付ける。ターンテーブルとクランパとでディスクを挟持した後、ターンテーブルがディスクを回転させることでディスクの再生が開始される。ターンテーブルはディスクを水平に持ち上げており、ディスクは水平に回転して再生される。
【０００５】
図１０に示すように、プレイ位置１０１では、ディスク１０２の一部をストック位置１０３のディスク１０２にオーバーラップさせている。再生するディスク１０２をストック位置１０３のディスク１０２間から完全に引き出さずにその一部をオーバーラップさせることで、ストック位置１０３とプレイ位置１０１の間隔を短縮し、ディスクチェンジャの奥行きを短くしている。
【０００６】
プレイ中のディスク１０２の回転姿勢はぶれることがあり、その上下の部材との間に十分な間隔Ｇａ，Ｇｂを設けておく必要がある。プレイ中のディスク１０２は図示しないターンテーブルによって持ち上げられており、載っていたキャリッジ１０４との間に、即ちプレイ中のディスク１０２の下方に十分な間隔Ｇｂが設けられる。また、ストック位置１０３では各段のキャリッジ１０４の配置ピッチＰをある程度大きく設計し、プレイ中のディスク１０２とその上の段のキャリッジ１０４に載せられているディスク１０２との間に、即ちプレイ中のディスク１０２の上方に十分な間隔Ｇａを設けている。つまり、各段のキャリッジ１０４を上下に十分に離して配置することで上下のディスク１０２の間隔を広げ、プレイ中のディスク１０２とその上の段のディスク１０２との干渉を回避している。
【０００７】
【発明が解決しようとする課題】
しかしながら、キャリッジ１０４を上下に離して配置するため、キャリッジ１０４を収容するドロワーの上下方向の寸法が大型化してしまう。特に、ＣＤプレイヤではドロワーの上下方向の寸法の大型化が顕著である。即ち、ＣＤプレイヤでは、大小２種類のディスク（直径１２ｃｍのディスクと直径８ｃｍのディスク）１０２を再生する必要があるため、キャリッジ１０４に２段の凹部、具体的には大径ディスク用の凹部の中に更に小径ディスク用の凹部を形成する必要がある。このため、キャリッジ１０４の上下方向全体の厚さが厚くなり、かかるキャリッジ１０４を上下に複数枚重ねて収容するドロワーの上下方向の寸法の大型化が顕著になる。
【０００８】
本発明は、プレイ中のディスクとの干渉を回避しつつ、ディスク間隔を詰めてストックすることが可能なディスクチェンジャを提供することを目的とする。
【０００９】
【課題を解決するための手段】
かかる目的を達成するために請求項１記載の本発明は、ディスクを載置しストック位置又はイジェクト位置とプレイ位置とを往復動する複数のキャリッジを有し、各キャリッジは少なくともストック位置ではディスクの回転軸方向に重ねるように並べられており、その中からプレイするよう選択された一つのディスクをストック位置から全部引き出さずストック位置にある他のディスクと一部で重なり、且つ非接触状態を保持してプレイ位置としてプレイすると共に、プレイ位置では、最下段のキャリッジよりも低い位置に設けられたターンテーブル及びピックアップがキャリッジの空所を下から通り抜けて当該キャリッジからディスクを持ち上げるディスクチェンジャにおいて、キャリッジは、ディスクをストック位置に在るときターンテーブル側の部分が前記ターンテーブルより離れる方向に傾斜させると共に、載置するディスクの最下部と最上部がキャリッジの厚みの最下部と最上部の範囲に等しい状態となるように載置するものであり、プレイ中のディスクとその上段のディスクとを当該上段のディスクを載置するキャリッジの空所を通して直接対向させてこれらのディスクの間にプレイ中のディスクの回転姿勢がぶれても干渉を回避する間隔を確保し、ターンテーブルはキャリッジに設けられたディスク載置傾斜面角度と等しい角度でディスクをプレイ回転させるものである。
【００１０】
いま、プレイ中のディスクと、これにオーバーラップする一つ上の段のストック位置のディスク（以下、上側ディスクという）に着目して説明する。ストック位置においてディスクが傾斜していると、プレイ中のディスクに対し、オーバーラップ部分の間隔が広がる。逆に、オーバーラップ部分の間隔を一定に保持すれば、その分だけ傾斜させた上側ディスクを全体的に下げて下の段に近づけることができる。即ち、プレイ中のディスクと上側ディスクとの間に十分なスペースを確保したまま、キャリッジの間隔をつめて配置することができる。
【００１１】
また、ターンテーブルが持ち上げてプレイ回転させるディスクを前述のディスク載置傾斜面角度と等しい角度だけ傾斜させると、プレイ中のディスクと上側ディスクのオーバーラップ部分の間隔が広がる。逆に、オーバーラップ部分の間隔を一定に保持すれば、その分だけ上側ディスクを全体的に下げて下の段に近づけることができる。即ち、プレイ中のディスクと上側ディスクとの間に十分なスペースを確保したまま、キャリッジの間隔をつめて配置することができる。
【００１２】
つまり、キャリッジに対しディスクを傾斜させた状態で載置することでキャリッジの間隔をつめて配置することができるようになり、これに加えて、ディスク載置傾斜面角度と等しい角度だけプレイ中のディスクを傾斜させることで、キャリッジの間隔を更につめて配置することができるようになる。
【００１３】
また、請求項２記載のディスクチェンジャは、キャリッジに小径ディスクの載置部を大径ディスクの載置部より下側に設けたものである。したがって、例えば大小２種類のディスクの使用が可能なディスクチェンジャについても、キャリッジの間隔をつめて配置することができる。
【００１４】
さらに、請求項３記載のディスクチェンジャは、ディスクはターンテーブル上を通過せず、ディスクの回転中心がターンテーブルの回転中心まで移動可能であるものである。
【００１５】
したがって、ディスクの移動はターンテーブルに対して回転中心同士を重ねる位置までとなる。ディスクをそのターンテーブル側の部分がターンテーブルより離れる方向に傾斜させる構成では、ディスクの回転中心よりも後側の部分（ターンテーブルと反対側の部分）が低くなってターンテーブルに近づくことになる。このため、仮に、ディスクがターンテーブルを通過して移動するようにするとディスクがターンテーブルに接触する虞がある。しかしながら、本発明では、ディスクの移動をターンテーブルに対して回転中心同士が重なる位置までとしているので、ディスクがターンテーブルに接触することがない。
【００１６】
【発明の実施の形態】
以下、本発明の構成を図面に示す最良の形態に基づいて詳細に説明する。
【００１７】
図１〜図５に、本発明を適用したディスクチェンジャの実施形態の一例を示す。このディスクチェンジャ５は、ディスク１を載置しストック位置３又はイジェクト位置７とプレイ位置４とを往復動する複数のキャリッジ２を有し、各キャリッジ２は少なくともストック位置３ではディスク１の回転軸方向に重ねるように並べられており、その中からプレイするよう選択された一つのディスク１をストック位置３から全部引き出さずストック位置３にある他のディスク１と一部で重なり、且つ非接触状態を保持してプレイ位置４としてプレイすると共に、プレイ位置では、最下段のキャリッジよりも低い位置に設けられたターンテーブル及びピックアップがキャリッジの空所を下から通り抜けて当該キャリッジからディスクを持ち上げるものであって、キャリッジ２は、ディスク１をストック位置３に在るときターンテーブル１３側の部分がターンテーブル１３より離れる方向に傾斜させると共に、載置するディスク１の最下部１ｂと最上部１ｔがキャリッジ２の厚みの最下部２ｂと最上部２ｔの範囲に等しい状態となるように載置するものであり、プレイ中のディスク１とその上段のディスク１とを当該上段のディスク１を載置するキャリッジ２の空所を通して直接対向させてこれらのディスク１，１の間にプレイ中のディスク１の回転姿勢がぶれても干渉を回避する間隔Ｇａを確保し、ターンテーブル１３はキャリッジ２に設けられたディスク載置傾斜面角度と等しい角度でディスク１をプレイ回転させるものである。ディスク１はターンテーブル１３上を通過せず、ディスク１の回転中心Ｏ１がターンテーブル１３の回転中心Ｏ２まで移動可能であり、ディスク１の傾斜はターンテーブル１３側の部分がターンテーブル１３より離れる方向としている。
【００１８】
このディスクチェンジャ５は、ドロワー６内に複数のキャリッジ２を有しており、各キャリッジ２にディスク１を１枚ずつ載せることで複数枚のディスク１をストックすることができる。各ディスク１は、ストック位置３にストックされている。そして、ディスク１をプレイ（再生）する場合には、プレイするディスク１を載せたキャリッジ２をストック位置３からプレイ位置４に搬送する。また、ディスク１をイジェクトする場合には、ドロワー６ごとキャリッジ２をイジェクト位置７に搬送する。本実施形態では、キャリッジ２は例えば５枚備えられている。ただし、キャリッジ２の枚数は５枚に限るものではないことは勿論である。
【００１９】
キャリッジ２には、例えば大径ディスク（直径１２ｃｍのコンパクトディスク）１用の凹部（載置部）８の中に更に小径ディスク（直径８ｃｍのコンパクトディスク）１用の凹部（載置部）９が形成されている。即ち、キャリッジ２に、小径ディスク１の載置部９を大径ディスク１の載置部８より下側に設けている。各凹部８，９の底面は、キャリッジ２に対して例えば１．４度だけ傾斜しており、各凹部８，９にディスク１を載せると当該ディスク１は１．４度傾斜する。
【００２０】
なお、図５に示すように、大小２種類のディスク１を扱うキャリッジ２については、ディスク１の最下部１ｂは、大径ディスク１の周縁と小径ディスク１の周縁のうち何れか低い方の周縁（本実施形態では小径ディスク１の周縁）である。また、ディスク１の最上部１ｔは、大径ディスク１の周縁と小径ディスク１の周縁のうち何れか高い方の周縁（本実施形態では大径ディスク１の周縁）である。なお、図６に示すように、１種類のディスク１を扱うキャリッジ２については、ディスク１の低い方の周縁が最下部１ｂとなり、高い方の周縁が最上部１ｔとなる。
【００２１】
かかる構造のキャリッジ２では、その上下方向全体の厚みが薄くなり、上下段の配置ピッチＰを短くすることができる。
【００２２】
つまり、プレイ位置４ではターンテーブル１３がキャリッジ２からディスク１を持ち上げて回転させるので、プレイ演奏するディスク１をストック位置３から全部引き出さずにストック位置３にある他のディスク１とオーバーラップさせているディスクチェンジャでは、プレイ演奏するディスク１と、その上の段のディスク１との間隔がキャリッジ２の配置ピッチＰに大きく影響する。
【００２３】
本発明のディスクチェンジャ５では、ターンテーブル１３は最下段のキャリッジ２よりも低い位置に設けられており、ディスク１がストック位置３に在るとき、キャリッジ２に対してディスク１をそのターンテーブル１３側の部分がターンテーブル１３から離れる方向に傾斜させているので、即ち図１において全てのディスク１の右側を持ち上げる方向に傾斜させているので、プレイ演奏するディスク１に対してその上の段のディスク１を離すことができる。また、ターンテーブル１３がディスク載置傾斜面角度と等しい角度でプレイ演奏するディスク１を持ち上げてプレイ回転させるので、即ち図１においてプレイ演奏するディスク１の左側を下げる方向に傾斜させているので、上の段のディスク１に対してプレイ演奏するディスク１を離すことができる。これらのため、プレイ演奏するディスク１とその上の段のディスク１との間隔Ｇａを広くすることができ、逆に、間隔Ｇａを同じにすれば、その分だけキャリッジ２の上下段の配置ピッチＰを短くすることができる。
【００２４】
また、ターンテーブル１３がディスク載置傾斜面角度と等しい角度でプレイ演奏するディスク１を持ち上げてプレイ回転することで、キャリッジ２の凹部８，９に対して平行にディスク１を持ち上げることになり、間隔Ｇｂを最小にすることができる。なお、図１中符号１６は、ターンテーブル１３とともにディスク１を挟持するクランパである。
【００２５】
図１０に示す従来のディスクチェンジャでは、キャリッジ１０４に対してディスク１０２を水平に載置し、かつ図示しないターンテーブルはディスク１０２を水平に持ち上げてプレイ回転させている。このため、例えば間隔Ｇａとして２．４ｍｍ、間隔Ｇｂとして２ｍｍ必要になり、キャリッジ１０４の上下段の配置ピッチＰは７ｍｍとなる。
【００２６】
これに対し、図７に示すディスクチェンジャのように、キャリッジ２に対してディスク１を例えば１．４度傾斜させて載置し、かつターンテーブル１３はディスク１を１．４度傾斜させてプレイ回転させることで、配置ピッチＰが同じ７ｍｍであれば間隔Ｇｂとして同じ２ｍｍの間隔を確保しても、間隔Ｇａとして４．７ｍｍの間隔を確保することができる。
【００２７】
したがって、図１及び図２に示すディスクチェンジャのように、間隔Ｇａを例えば３．４ｍｍに狭めれば、間隔Ｇｂとして同じ２ｍｍを確保しても配置ピッチＰを５．５ｍｍに短くすることができる。また、ディスク１の最下部１ｂと最上部１ｔがキャリッジ２の厚みの最下部２ｂと最上部２ｔの範囲に等しい状態になるようにディスク１を傾斜して載置しているので、キャリッジ２の厚さＤを薄くすることができ、このことも配置ピッチＰを短くすることに寄与している。なお、このディスクチェンジャでは、間隔Ｇａとして３．４ｍｍを確保しているので、図１０のディスクチェンジャの間隔Ｇａ（２．４ｍｍ）に比べて１．０ｍｍの余裕があり、したがって、配置ピッチＰを更に短くすることが可能である。
【００２８】
なお、ディスク１をそのターンテーブル１３側の部分がターンテーブル１３より離れる方向に傾斜させることで、ディスク１の回転中心Ｏ２よりも後側の部分（図１中回転中心Ｏ２よりも左側の部分）がターンテーブル１３に近づく（低くなる）ことになる。このため、仮に、ディスク１がターンテーブル１３を通過して移動するとディスク１がターンテーブル１３に接触することも考えられるが、ディスク１の移動をターンテーブル１３に対して回転中心Ｏ１，Ｏ２同士が重なる位置までとしているので、ディスク１がターンテーブル１３に接触することはない。
【００２９】
このように、各段のキャリッジ２を、その間隔を詰めて（配置ピッチＰを小さくして）配置することができる。このため、キャリッジ２を上下に重ねて収容するドロワー６の高さ方向の寸法を短縮することができ、ディスクチェンジャ５を小型化することができる。また、ドロワー６の高さ方向の寸法を短縮することができるので、ドロワー６の高さ方向の寸法を短くしたいとのディスクチェンジャ５のデザイン上の要請にこたえることができる。
【００３０】
なお、プレイ中のディスク１の下側のディスク１も同様に傾斜して配置されることになるが、プレイ中のディスク１はキャリッジ２から持ち上げられており、また、ストック位置３のディスク１を傾斜させるといってもその上の段のキャリッジ２に当たるほどには傾斜させることはないので、下側のディスク１がプレイ中のディスク１に干渉することはない。
【００３１】
なお、上述の形態は本発明の好適な形態の一例ではあるがこれに限定されるものではなく本発明の要旨を逸脱しない範囲において種々変形実施可能である。例えば、上述の説明では、大小２種類のディスク１を取り扱うキャリッジ２を例にしていたが、１種類のディスク１を取り扱うキャリッジ２でも良いことは勿論である。
【００３２】
また、上述の説明では、ディスク載置傾斜面角度を例えば１．４度としていたが、これに限るものではないことは勿論である。なお、ディスク載置傾斜面角度は、例えば０．４度〜２．４度程度の範囲であることが好ましい。
【００３３】
また、上述の説明では、ターンテーブル１３がディスク１をプレイ回転させる角度をディスク載置傾斜面角度と等しい角度にしているが、ここでの等しい角度とは厳格に等しいことを意味するものではなく、キャリッジ２の配置ピッチＰを短くできるという技術的意義を損なわない範囲で若干異なるものであっても良い。
【００３４】
また、上述の説明では、ディスク１の最下部１ｂと最上部１ｔがキャリッジ２の厚みの最下部２ｂと最上部２ｔの範囲に等しい状態にしているが、ここでの等しい状態とは厳格に等しいことを意味するものではなく、ディスク１の最下部１ｂと最上部１ｔ間の距離に対してキャリッジ２が厚くなり過ぎない程度の範囲で若干異なるものであっても良い。
【００３５】
また、上述の説明では、１つのドロワー６内に複数のキャリッジ２を収納するタイプのディスクチェンジャ５を例にしていたが、例えば図８に示すように、ディスクチェンジャ５のシャーシに固定されたドロワーガイド１４に複数のドロワー６をスライド可能に収納すると共に、各ドロワー６毎にキャリッジ２をスライド可能に収納するようにしても良く、あるいは、図９に示すように、ディスクチェンジャ５のシャーシに固定されたキャリッジガイド１５に複数のキャリッジ２をスライド可能に収納するようにしても良い。
【００３６】
【発明の効果】
以上説明したように、請求項１記載のディスクチェンジャでは、キャリッジは、ディスクをストック位置に在るときターンテーブル側の部分がターンテーブルより離れる方向に傾斜させると共に、載置するディスクの最下部と最上部がキャリッジの厚みの最下部と最上部の範囲に等しい状態となるように載置するものであり、プレイ中のディスクとその上段のディスクとを当該上段のディスクを載置するキャリッジの空所を通して直接対向させてこれらのディスクの間にプレイ中のディスクの回転姿勢がぶれても干渉を回避する間隔を確保し、ターンテーブルはキャリッジに設けられたディスク載置傾斜面角度と等しい角度でディスクをプレイ回転させるので、キャリッジの配置ピッチを短くすることができる。このため、キャリッジを収容するドロワーの高さ方向の寸法を短く、即ちドロワーを薄くすることができ、ディスクチェンジャを小型化することができる。また、ディスクイジェクト時に突出するドロワーを薄くしたいとのディスクチェンジャのデザイン上の要請に沿うこともできる。
【００３７】
また、請求項２記載のディスクチェンジャでは、キャリッジに小径ディスクの載置部を大径ディスクの載置部より下側に設けているので、大小２種類のディスクの使用が可能なディスクチェンジャについても、キャリッジの間隔をつめて配置することができる。
【００３８】
さらに、請求項３記載のディスクチェンジャでは、ディスクはターンテーブル上を通過せず、ディスクの回転中心がターンテーブルの回転中心まで移動可能としたので、ディスクがターンテーブルに接触するのを防止することができる。
【図面の簡単な説明】
【図１】本発明を適用したディスクチェンジャの実施形態の一例を示し、ストック位置のディスクとプレイ位置のディスクの位置関係を拡大して示す縦断面図である。
【図２】同ディスクチェンジャのディスクとキャリッジの位置関係を示す縦断面図である。
【図３】同ディスクチェンジャを示す概略構成図である。
【図４】同ディスクチェンジャのキャリッジとドロワーの位置関係を示す横断面図である。
【図５】キャリッジとディスクの関係を示す概略構成図である。
【図６】キャリッジとディスクの関係の別の例を示す概略構成図である。
【図７】ディスクを傾斜させることで各ディスクの間隔が広がることを説明するための縦断面図である。
【図８】本発明を適用したディスクチェンジャの他の実施形態を示し、そのキャリッジとドロワーの位置関係を示す横断面図である。
【図９】本発明を適用したディスクチェンジャの更に他の実施形態を示し、そのキャリッジとキャリッジガイドの位置関係を示す横断面図である。
【図１０】従来のディスクチェンジャのキャリッジの配置を示す概略構成図である。
【符号の説明】
１  ディスク
１ｂ  ディスクの最下部
１ｔ  ディスクの最上部
２  キャリッジ
２ｂ  キャリッジの厚みの最下部
２ｔ  キャリッジの厚みの最上部
３  ストック位置
４  プレイ位置
５  ディスクチェンジャ
７  イジェクト位置
８  凹部（大径ディスクの載置部）
９  凹部（小径ディスクの載置部）
１３ターンテーブル
Ｏ１  ストック位置のディスクの回転中心
Ｏ２  ターンテーブルの回転中心
【図１】
0004317677.tif 000002
【図２】
0004317677.tif 000003
【図３】
0004317677.tif 000004
【図４】
0004317677.tif 000005
【図５】
0004317677.tif 000006
【図６】
0004317677.tif 000007
【図７】
0004317677.tif 000008
【図８】
0004317677.tif 000009
【図９】
0004317677.tif 000010
【図１０】
0004317677.tif 000011